(57)【要約】      （修正有）【課題】金属製の軸柄からの樹脂製の上ろくろ本体の取外しを容易にして、リサイクル時の部品の分別を容易にする折畳み傘を提供する。【解決手段】上ろくろ本体１８は上下に貫通する中心孔を備える。軸柄２ａの上端に挿入固定される固定部２６が上ろくろ本体１８のディスク部２０の底面に同軸的に垂設されている。固定部２６は、軸柄２ａの上端部に挿入された状態における中心孔に対する固定ピン１００の上方からの挿入によって、上ろくろ本体１８の軸柄２ａへの固定を可能にし、かつ固定ピン１００の上方への抜き出しによって、上ろくろ本体１８の軸柄２ａからの取外しを可能にする。【選択図】図５
0003156707.tif 000002
【実用新案登録請求の範囲】
【請求項１】
軸柄の上端に取り付けられる上ろくろが、
受け骨の根元部を収容する複数の受け骨収容溝を放射状に形成しかつ枢軸となる突軸を根元部に備えた受け骨の前記突軸を枢支するための受け骨枢支溝を各受け骨収容溝と十字状に直交するように上面に開口させたディスク部と、外周面に雄ねじを備えて前記ディスク部の上面に同軸的に立設された螺部と、前記ディスク部の底面に同軸的に垂設されて前記軸柄の上端部に挿入される固定部と、前記螺部の上面から前記固定部に亘って上下に貫通する中心孔とを備えた上ろくろ本体と、
前記突軸が前記受け骨枢支溝内に収容される態様で前記受け骨の根元部が前記上ろくろ本体に取り付けられた後に前記螺部に螺着されて前記ディスク部の上面に添着され、これにより前記支え骨枢支溝に蓋をするナット部材と、
前記上ろくろ本体の中心孔に上方からの挿入される固定ピンとを備え、
前記上ろくろ本体は、前記固定部が前記軸柄の上端部に挿入された状態において前記中心孔に対する前記固定ピンの上方からの挿入によって前記軸柄への固定を可能にし、かつ前記固定ピンの上方への抜き出しによって、前記軸柄からの取外しを可能にするものであることを特徴とする折畳み傘。
【請求項２】
前記固定ピンは、前記ろくろ本体の中心孔に挿入される軸部と、前記中心孔よりも大径であるが前記上ろくろ本体の螺部よりも小径に形成されて前記軸部の上端に設けられた頭部とを備えていることを特徴とする請求項１記載の折畳み傘。
【請求項３】
軸柄に摺動自在に嵌装されて複数本の支え骨の根元部を枢支する下ろくろが、下ろくろ本体と、該下ろくろ本体に下方から分離可能に結合される筒状体とからなり、
前記下ろくろ本体は、支え骨の根元部を収容する複数の支え骨収容溝を放射状に形成しかつ枢軸となる突軸を根元部に備えた前記支え骨の前記突軸を枢支するための支え骨枢支溝を前記支え骨収容溝と十字状に直交するように下面に開口させたディスク部を備え、
前記筒状体は、フランジを上端に備え、かつ前記突軸が前記支え骨枢支溝内に収容される態様で前記支え骨の根元部が前記下ろくろ本体に取り付けられた後に前記下ろくろ本体にバヨネット式に結合されて、前記フランジが前記下ろくろ本体のディスク部の下面に添着され、これにより前記フランジが前記支え骨枢支溝に蓋をするものであることを特徴とする請求項１または２記載の折畳み傘。
【請求項４】
前記下ろくろ本体と前記筒状体との間に、両者がバヨネット式に結合されている位置から結合解除位置へ向かう相対回動を阻止し得る機能を有しかつ該阻止機能の解除が可能なストッパが設けられていることを特徴とする請求項３記載の折畳み傘。
【請求項５】
第１の傘骨から、または該第１の傘骨に固着された連結用部材から延出された、所定の間隔を隔てて対向する一対の脚片に対し、第２の傘骨の先端部が、前記一対の脚片間に挟まれた態様で枢動可能に軸支されてなる傘骨連結構造を備え、
前記第１の傘骨側の前記一対の脚片と前記第２の傘骨の先端部とに形成された軸孔に、枢軸として機能する１本のピンが挿通され、かつ該ピンの抜け落ちを阻止する弾性部材が前記第１の傘骨または前記連結用部材に取り外し可能に弾着されていることを特徴とする請求項１から４のいずれか１項記載の折畳み傘。
【考案の詳細な説明】
【技術分野】
【０００１】
本考案は、製作時における組立てが容易であるのみでなく修理および廃棄に際しての分解が容易かつ安全で、部材の再利用および材質別の分別を可能にした折畳み傘に関する。
【背景技術】
【０００２】
通常の折畳み傘は、金属製部材（軸柄、傘骨等）と、一般に合成樹脂（以下単に「樹脂」と呼ぶ）または木材、布からなる非金属製部材（手元、上ろくろ、下ろくろ、張り布等）から構成されているが、各部材は恒久的にあるいは分解が極めて困難な状態で連結されている。すなわち、金属製の受け骨と合成樹脂（以下、単に「樹脂」と略称する）製の上ろくろとの連結、あるいは、金属製の支え骨と樹脂製の下ろくろとの連結は、根元部に形成した孔に順次針金（抱き針）を挿通した受け骨または支え骨の根元部を、上ろくろの受け骨収容溝または下ろくろの支え骨収容溝にそれぞれ収容した後、上記針金を上ろくろまたは下ろくろの外周の溝に巻き付け、かつこの針金の両端を捩り合わせることにより行なっていた。
【０００３】
また、折畳み傘の傘骨は一般に、受け骨、はとめによって連結された親骨、先骨、支え骨および引き線等の多数の要素から構成され、しかもこれらの傘骨のうち、例えば親骨のみが樹脂製で、その他の傘骨は金属製というような場合も多い。
【０００４】
したがって、従来の傘は、製作時における組立てに手間がかかるのみでなく、壊れた傘を修理または廃棄する場合に、分解が困難で、かつ金属製部材と非金属製部材とを分離して分別廃棄することも可能ではあっても容易ではないため、貴重な資源のリサイクルをほぼ不可能にしていた。
【考案の開示】
【考案が解決しようとする課題】
【０００５】
近時、特に環境汚染問題がクローズアップされている中、材質別の分別廃棄を義務付ける地方自治体も多くなってきたために、傘の金属製部材と非金属製部材との分別廃棄を容易にすることが要望されている。
【０００６】
例えば、折畳み傘において、軸柄は一般にアルミニウム合金製で、上ろくろは一般に合成樹脂であるため、リサイクルに際しては、樹脂製の上ろくろを軸柄から容易に取り外すことが可能なことが望ましい。さらに、金属製（例えば鉄製）の受け骨は、その根元部が、上ろくろから容易に取り外すことができる構成を有することが好ましい。
【０００７】
一方、軸柄および上ろくろが共に同種の金属、例えばアルミニウム合金で形成されている場合には、リサイクルに際して、上ろくろを軸柄から取り外すことを要しないが、受け骨が鉄製の場合には、受け骨の根元部が、上ろくろから容易に取り外すことができる構成を有することが好ましい。
【０００８】
上述の事情に鑑み、本考案の第１の目的は、受け骨の根元の上ロクロからの意図しない脱落は高信頼性をもって阻止し得る構造を有しながら、組立て時における上ろくろに対する受け骨の取付けおよび分解時における上ろくろからの受け骨の取り外しが極めて容易な折畳み傘を提供することにある。
【０００９】
本考案の第２の目的は、上記第１の目的に加えて、軸柄が例えばアルミニウム合金製、上ろくろが例えば樹脂製である場合に、軸柄からの上ろくろの取り外しが極めて容易な折畳み傘を提供することにある。
【００１０】
本考案の第３の目的は、上記第１または第２の目的に加えて、軸柄に対して頻繁に摺動操作される下ロクロからの支え骨の根元部の意図しない脱落は高信頼性をもって阻止し得る構造を有しながら、組立て時における下ろくろに対する支え骨の取付けおよび分解時における下ろくろからの支え骨の取外しが極めて容易な折畳み傘の提供することにある。
【００１１】
本考案の第４の目的は、上記第１から第３の目的のいずれか一つに加えて、使用時に張り布が風に煽られること等による傘骨間の連結部の分離は高信頼性をもって阻止しながら、組立て時における傘骨の連結および分解時における傘骨の分離が極めて容易な折畳み傘の提供することにある。
【００１２】
なお、以下の説明において、上部または上方は傘の石突き側を意味し、下部または下方は傘の手元側を意味するものとする。
【課題を解決するための手段】
【００１３】
本考案による分解およびリサイクルの容易な折畳み傘においては、上記第１および第２の目的を達成するために、軸柄の上端に取り付けられる上ろくろが、中心孔および螺部を備えた上ろくろ本体と、この上ろくろ本体の螺部に螺着されるナット部材と、上ろくろ本体の中心孔に上方から挿入される固定ピンとを備えている。
【００１４】
上記上ろくろ本体は、受け骨の根元部を収容する複数の受け骨収容溝を放射状に形成しかつ枢軸となる突軸を根元部に備えた受け骨の上記突軸を枢支するための受け骨枢支溝を各受け骨収容溝と十字状に直交するように上面に開口させたディスク部と、外周面に雄ねじを備えて上記ディスク部の上面に同軸的に立設された螺部と、上記ディスク部の底面に同軸的に垂設されて上記軸柄の上端部に挿入される固定部と、上記螺部の上面から上記固定部に亘って上下に貫通する中心孔とを備えている。
【００１５】
上記ナット部材は、上記受け骨の根元部に設けられた上記突軸が上記受け骨枢支溝内に収容される態様で上記受け骨の根元部が上記上ろくろ本体に取り付けられた後に上記螺部に螺着されて上記ディスク部の上面に添着され、これにより上記支え骨枢支溝に蓋をするように構成されている。
【００１６】
そして、上記上ろくろ本体は、その固定部が上記軸柄の上端部に挿入された状態において上記中心孔に対する上記固定ピンの上方からの挿入によって上記軸柄への固定を可能にし、かつ上記固定ピンの上方への抜き出しによって、上記軸柄からの取外しを可能にするものである。
【００１７】
また上記固定ピンは、上記ろくろ本体の中心孔に挿入される軸部と、上記中心孔よりも大径であるが上記上ろくろ本体の螺部よりも小径に形成されて上記軸部の上端に設けられた頭部とを備えていることが好ましい。
【００１８】
さらに、本考案による分解およびリサイクルの容易な折畳み傘においては、上記第３の目的を達成するために、軸柄に摺動自在に嵌装されて複数本の支え骨の根元部を枢支する下ろくろが、下ろくろ本体と、この下ろくろ本体に下方から分離可能に結合される筒状体とから構成されている。
【００１９】
上記下ろくろ本体は、支え骨の根元部を収容する複数の支え骨収容溝を放射状に形成しかつ枢軸となる突軸を根元部に備えた支え骨の上記突軸を枢支するための支え骨枢支溝を上記支え骨収容溝と十字状に直交するように下面に開口させたディスク部を備えている。
【００２０】
上記筒状体は、フランジを上端に備え、かつ上記突軸が上記支え骨枢支溝内に収容される態様で上記支え骨の根元部が前記下ろくろ本体に取り付けられた後に下ろくろ本体にバヨネット式に結合されて、上記フランジが下ろくろ本体のディスク部の下面に添着され、これにより、上記フランジが上記支え骨枢支溝に蓋をするものである。
【００２１】
上記筒状体のフランジは、上記下ろくろ本体のディスク部とほぼ同径に形成されているのが好ましく、さらに、上記下ろくろ本体と上記筒状体との間に、両者がバヨネット式に結合されている位置から結合解除位置へ向かう相対回動を阻止し得る機能を有しかつこの阻止機能の解除が可能なストッパが設けられていることが好ましい。
【００２２】
さらに、本考案による分解およびリサイクルの容易な折畳み傘においては、上記第４の目的を達成するために、第１の傘骨（例えば親骨）から、またはこの第１の傘骨に固着された連結用部材から延出された、所定の間隔を隔てて対向する一対の脚片に対し、第２の傘骨（例えば受け骨）の先端部が、上記一対の脚片間に挟まれた態様で枢動可能に軸支されてなる傘骨連結構造を備えている。
【００２３】
上記第１の傘骨側の一対の脚片と上記第２の傘骨の先端部とに形成された軸孔には、枢軸として機能する１本のピンが挿通され、かつこのピンの抜け落ちを阻止する弾性部材が上記第１の傘骨または上記連結用部材に取り外し可能に弾着されている。
【００２４】
上記弾性部材は、上記一対の脚片に跨って弾着される板状バネ部材であるのが好ましいが、一端にフランジを備えたピンが枢軸として用いられる場合には、フランジ側の脚片のみに弾着されるものであってもよい。また、一端に枢軸となるピン部を備え、他端に傘骨に対する嵌着部を備えた１本の針金状のバネ部材を用いることもできる。
【考案の効果】
【００２５】
本考案によれば、受け骨の根元部の突軸が上ろくろ本体の受け骨枢支溝内に収容される態様で上記受け骨の根元部が上記上ろくろ本体に取り付けられた後にナット部材が上ろくろ本体の螺部に螺着されることにより、ナット部材が上ろくろ本体のディスク部の上面に添着されて、受け骨枢支部に蓋をするように構成されているので、上ろくろに対する受け骨の根元部の取り付けが極めて容易であるのみでなく、ナット部材を上記螺部から取り外さない限り、受け骨の根元部が上ろくろから外れる恐れがないものである。そして、ナット部材を上記螺部から取り外せば、直ちに受け骨の根元部を上ろくろから外すことができるという利点がある。
【００２６】
その場合に、軸柄と上ろくろ本体とが共に同種の金属、例えばアルミニウム合金で形成されている場合には、リサイクルに際して、軸柄から上ろくろ本体を取り外す必要はないが、軸柄が例えばアルミニウム合金製、上ろくろ本体が例えば樹脂製である場合には、上下に貫通する中心孔を備えた上ろくろ本体の上記中心孔に対する固定ピンの抜き差しによって、上ろくろ本体の軸柄からの取り外しが可能になったり、軸柄への固定が可能になったりするように構成されているから、軸柄に対する上ろくろ本体の取付け、取外しが極めて容易である。特に、上述のように、軸柄が例えば金属製で、上ろくろ本体が例えば樹脂製である場合、軸柄からの樹脂製の上ろくろ本体の取外しを容易にすることが、リサイクル時における部品の分別に関して重要な事項である。
【００２７】
次に、下ろくろと支え骨との結合に関しては、支え骨の根元部に形成された突軸が、下ろくろ本体の支え骨枢支ディスク部の下面に開口している突軸枢支溝にそれぞれ収容される態様で、すべての受け骨の根元部が上記受け骨収容溝に収容された後に、下ろくろ本体に筒状体をバヨネット式に結合することにより、下ろくろ本体の支え骨枢支溝が筒状体のフランジによって蓋をされて、支え骨の根元部が下ろくろから外れなくなるから、傘の組立て作業の効率化を図ることができる。
【００２８】
また、下ろくろ本体と筒状体とがバヨネット式に結合されることにより、下ろくろ本体と筒状体とを結合時とは反対方向に軸線の周りで相対的に回動し、かつ軸線方向に引き抜くことにより、下ろくろ本体から筒状体から分離させることができるから、下ろくろからの支え骨の取外しも極めて容易である。
【００２９】
さらに、上記下ろくろ本体と上記筒状体との間に、両者がバヨネット式に結合されている位置から結合解除位置へ向かう相対回動を阻止し得る機能を有しかつこの阻止機能の解除が可能なストッパが設けられている場合には、傘の分解時における下ろくろからの支え骨の取外しを容易にしながら、使用時の信頼性を著しく高めることができる。
【００３０】
また、本考案による傘骨相互の連結構造においては、一方の傘骨の先端部を他方の傘骨側の一対の脚片に枢着するピンが、上記脚片に弾着された弾性部材によって抜け落ちを阻止されているので、弾性部材を取り外すのみでピンを抜くことができるから、傘骨同士の連結部の分解が極めて容易になる利点がある。特に折畳み傘においては、傘骨同士の連結部が多数存在するので、その効果は大である。
【図面の簡単な説明】
【００３１】
【図１】本考案に関連する折畳み傘の基本構成を、一部を省略して示す概略的正面図
【図２】図１の折畳み傘の軸柄、上ろくろおよび石突きを示す分解正面図
【図３Ａ】図２の上ろくろ本体の平面図
【図３Ｂ】図３Ａの上ろくろ本体の一部を断面とした正面図
【図３Ｃ】図３Ａの上ろくろ本体の底面図
【図４】受け骨の根元部の底面図
【図５】本考案による折畳み傘の好ましい実施の形態における傘の上部の分解正面図
【図６Ａ】軸柄の内管の上端部の正面図
【図６Ｂ】図６Ａの６Ｂ−６Ｂ線に沿った断面図
【図７Ａ】図５の上ろくろ本体の平面図
【図７Ｂ】図５の上ろくろ本体の底面図
【図８Ａ】図５の上ろくろ本体が固定ピンによって軸柄の内管の上端部に固定された状態を示す平面図
【図８Ｂ】図８Ａの８Ｂ−８Ｂ線に沿った断面図
【図８Ｃ】図８Ｂの８Ｃ−８Ｃ線に沿った断面図
【図９】固定ピンの別の実施の形態の頭部を示す拡大正面図
【図１０Ａ】ピン抜きフォークの平面図
【図１０Ｂ】図１０Ａのピン抜きフォークの側面図
【図１１Ａ】図９の固定ピンの抜取りに際して、図１０Ａのピン抜きフォークを上ろくろ上にセットした状態を示す正面図
【図１１Ｂ】図１０Ａのピン抜きフォークのピン抜き動作を説明する正面図
【図１２】固定ピンのさらに別の実施の形態を、この固定ピンが適用される上ろくろ本体とともに示す側面図
【図１３】図１２の固定ピンを、この固定ピンが適用される、一部を断面とした上ろくろ本体とともに示す正面図
【図１４】図１２の固定ピンを上ろくろ本体に取り付けた状態を示す、一部を断面とした正面図
【図１５Ａ】本考案による下ろくろ本体の平面図
【図１５Ｂ】図１５Ａの下ろくろ本体の正面図
【図１５Ｃ】図１５Ａの下ろくろ本体の側面図
【図１５Ｄ】図１５Ａの下ろくろ本体の底面図
【図１５Ｅ】図１５Ａの１５Ｅ−１５Ｅ線に沿った断面図
【図１６Ａ】図１５Ａの下ろくろ本体に結合される筒状体の平面図
【図１６Ｂ】図１６Ａの筒状体の正面図
【図１６Ｃ】図１６Ｂの１６Ｃ−１６Ｃ線に沿った断面図
【図１７】本考案による下ろくろの正面図
【図１８】本考案による受け骨と親骨との連結部の構造の一例を示す分解斜視図
【図１９】図１８の受け骨と親骨との連結部を示す斜視図
【図２０】図１９の連結部の拡大断面図
【図２１】本考案による受け骨と親骨との連結部の構造の他の例を示す分解斜視図
【図２２】本考案による親骨と先骨との連結部の構造の一例を示す分解斜視図
【図２３】図２２の親骨と先骨との連結部を示す斜視図
【図２４】本考案による受け骨と親骨との連結部の構造のさらに他の例を示す斜視図
【図２５】図２４のスプリングピンの斜視図
【図２６】図２５のスプリングピンの取付け方法を示す斜視図
【図２７】スプリングピンを収容する溝が連結用部材に形成されている場合の図２６に対応する斜視図
【図２８】スプリングピンを収容する溝が連結用部材に形成されている場合の図２４に対応する斜視図
【考案を実施するための形態】
【００３２】
以下、図面を参照して本考案による傘の好ましい実施の形態について詳細に説明する。図１は折畳み傘の全体構成を、一部を省略して示す概略的正面図、図２はその軸柄、上ろくろおよび石突きを示す分解正面図である。
【００３３】
図１に示す折畳み傘においては、その上ろくろのみが本考案のものとは異なるが、図１は本考案に関連する折畳み傘の基本構成を示すものであって、先ずこの基本構成について説明する。
【００３４】
図１および図２において、この折畳み傘１は、順次入れ子式に伸縮可能な、内管２ａ、中間管２ｂおよび外管２ｃからなる円形断面形状を有する金属（例えばアルミニウム合金）製の軸柄（中棒）２と、軸柄２の内管２ａの上端に嵌装固定された金属（例えばアルミニウム合金）製の上ろくろ本体１８を有する上ろくろ３と、この上ろくろ３に根元部を枢着された複数（例えば６本）の金属（例えば鉄）製の受け骨４と、張り布（不図示）の中心部を上ろくろ３に固定する陣笠５と、軸柄２の外管２ｃから中間管２ｂおよび内管２ａに亘って摺動自在に嵌装された樹脂製の下ろくろ６と、この下ろくろ６に根元部を枢着されかつ先端部を受け骨４のほぼ中間部のＰ点において枢着された、受け骨４と同数の金属（例えば鉄）製の支え骨８と、軸柄２の外管２ｃの下端部に取り外し可能に固定された樹脂製の手元９とを備えている。
【００３５】
上ろくろ３は、図２に示されているように、軸柄２の内管２ａの上端に固定された上ろくろ本体１８と、この上ろくろ本体１８に取り外し可能に結合される環状ディスク状のナットからなるナット部材１９とによって構成されている。そして、軸柄２の内管２ａの上方部には、上ろくろ本体１８を内管２ａに固定するためのピン２１が挿入固定されるピン孔２７が形成されている。
【００３６】
また、軸柄２が伸張された傘１の開状態において、下ろくろ６を軸柄２の内管２ａ上の所定位置に保つために用いられる金属製留め金（はじき）１１が、内管２ａの外周面から突出する方向にばね付勢された態様で内管２ａに出没自在に設けられている。
【００３７】
図１に示されているように、受け骨４の先端部は、樹脂製の親骨１２の根元部に一体に形成された連結用部材１３に枢着され、さらに親骨１２の先端部に一体に形成された連結用部材１４には、金属（例えば鉄）製の先骨１５の根元部が枢着されている。先骨１５の先端部には露先１６が一体に形成されている。さらに、親骨１２の根元部に一体に形成された連結用部材１３は、親骨１２の延長方向とは反対側に延び、その先端部と支え骨８上の上記枢支点Ｐの近傍位置との間には、引き線１７がその両端部をそれぞれ枢着された状態で連結されている。
【００３８】
図３Ａ〜図３Ｃは上ろくろ本体１８を示し、図３Ａは平面図、図３Ｂはそのディスク部の一部を断面とした正面図、図３Ｃは底面図である。この上ろくろ本体１８は、受け骨４の根元部を収容するための６個の受け骨収容溝２２を周縁にほぼ等間隔に放射状に備えたディスク部２０と、外周面に雄ねじを備えてこのディスク部２０の上面の中央に同軸的に立設された螺部２４と、軸柄２の最上部の内管２ａ内に嵌着固定されるべくディスク部２０の底面の中央に同軸的に垂設された固定部２６とから構成されている。固定部２６にはピン孔２８が形成され、このピン孔２８は、固定部２６が内管２ａ内に嵌着された場合に内管２ａのピン孔２７と一致して、上ろくろ本体１８を内管２ａに固定するためのピン２１の挿入を許容するものである。
【００３９】
受け骨４の根元部４ａは、図４の底面図に示されているように、上ろくろ本体１８のディスク部２０に形成されている受け骨収容溝２２内に挿入可能なように平らに潰されているとともに、根元部４ａの両側には、枢軸となる突軸３０が受け骨４の根元部４ａの延長方向と直交するように水平に突設されている。一方、上ろくろ本体１８ディスク部２０の上面には、受け骨４の根元部４ａの突軸３０を枢支するための受け骨枢支溝３２が、受け骨収容溝２２と十字状に直交するように受け骨収容溝２２の両側に開口している。したがって、軸柄２の内管２ａの上端部に固定された上ろくろ本体１８のディスク部２０に対して、６本の受け骨の根元部４ａを、それらの突軸３０が受け骨枢支溝３２内に収容される態様で取り付けた後、ディスク部２０とほぼ同径のディスク状ナットからなるナット部材１９を上ろくろ本体１８の螺部２４に螺着することにより、ナット部材１９が上ろくろ本体１８のディスク部２０の上面に添着され、これにより受け骨枢支溝３２が蓋をされ、各受け骨４の根元部４ａが上ろくろ３に対して枢動可能に、かつ上ろくろ３からの脱落を阻止された態様で取り付けられる。
【００４０】
そして、軸柄２の内管２ａの上端部に固定された上ろくろ本体１８の螺部２４に螺着されたナット部材１９の上面には、螺部２４が挿入される大きさの中心孔を備えた張り布（不図示）が被着され、その上から陣笠５が螺部２４に螺着されて、張り布が固定される。
【００４１】
この折畳み傘１の分解時には、上ろくろ本体１８の螺部２４から陣笠５を張り布とともに取り外した後、螺部２４からナット部材１９を取り外すことにより、受け骨４の根元部４ａを直ちに上ろくろ本体１８から取り外すことができる。
【００４２】
上述した上ろくろ本体１８は、軸柄２と同種の金属で形成されているため、リサイクルに際して上ろくろ本体１８を軸柄２から取り外すことを必要としないものであるが、一般的な樹脂製の上ろくろ本体はリサイクルに際して軸柄から容易に取外し可能であることを要求される。そこで、上ろくろ本体が樹脂製である場合の本考案の好ましい実施の形態について以下に説明する。なお、説明を簡略化するため、図１〜図４に示されている上ろくろ３と共通する部品および部位については、同一の符号を用いて、重複する説明は省略する。
【００４３】
図５は、上ろくろ本体が例えば樹脂製である場合の、本考案による折畳み傘の好ましい実施の形態における図２に対応する上部の分解正面図であり、軸柄２の内管２ａおよび上ろくろ本体１８に加えて、固定ピン１００が示されている。この固定ピン１００は、円板状の頭部１００ａと軸部１００ｂとから構成されている。なお、図５においては、図２に示されているものと同様の構成を有するナット部材１９および陣笠８は省略してある。
【００４４】
図６Ａは軸柄２の内管２ａの上端部の正面図、図６Ｂは図６Ａの６Ｂ−６Ｂ線に沿った断面図である。内管２ａは非円形断面形状を有し、上ろくろ本体１８を所定位置に固定するための一対の小孔１０２，１０２が上端から所定距離の部位に形成されている。
【００４５】
図７Ａおよび図７Ｂは、図５の上ろくろ本体１８の平面図および底面図を示し、ディスク部２０および螺部２４については、図３Ａ〜図３Ｃ出説明したものとほぼ同様の構成を有するが、下方の固定部２６が内管２ａの形状に対応した非円形断面形状を有するとともに、中心を通る溝１０４が下端から所定距離切り込まれて、固定部２６が二股に分岐して一対の分岐片２６ａ，２６ａを形成している。これら分岐片２６ａ，２６ａには図７Ｂの左右方向に若干の弾性が付与され、かつ各分岐片２６ａの外面には上記内管２ａの小孔１０２に係入し得る小突起１０６が形成されている。
【００４６】
これらの小突起１０６は、図５の正面図で見て先端に向かって細くなるように上下縁が斜面を形成しており、これにより、上ろくろ本体１８の固定部２６を軸柄２の内管２ａに上方から押し込むと、小突起１０６，１０６の斜めの下縁が内管２ａの上端縁に当接するので、分岐片２６ａ，２６ａの下端を互いに接近させる方向に力が働き、これにより、内管２ａに対する固定部２６のさらなる押込みが許容され、各小突起１０６と内管２ａの各小孔１０２とが整合した位置において、分岐片２６ａの弾性的復元力で各小突起１０６が各小孔１０２に係入することにより、内管２ａに対して上ろくろ本体１８が位置決めされる。また、この状態で、上ろくろ本体１８に対して上方へ引く抜く力を加えれば、各小孔１０２の上縁に各小突起１０６の斜めの上縁が当接するので、分岐片２６ａ，２６ａの下端を互いに接近させる方向に力が働き、これにより、内管２ａからの固定部２６の抜き出しが許容されるように構成されている。
【００４７】
さらに上ろくろ本体１８には、上記固定ピン１００（図５）の軸部１００ｂが上方から抜き差し可能に挿入される上下に貫通する中心孔１０８が形成されている。この中心孔１０８の下端は、図７Ｂから明らかなように、溝１０４の上端に開口している。上記固定ピン１００の頭部１００ａは、上ろくろ本体１８の中心孔１０８よりも大径であるが、後述する図８Ａおよび図８Ｂからも明らかなように、螺部２４の外径よりも若干小径に形成されて、螺部２４に対するナット部材１９および陣笠５の螺装が妨害されないようになっている。
【００４８】
図８Ａ〜図８Ｃは、上ろくろ本体１８が固定ピン１００によって軸柄２の内管２ａの上端に固定された状態を示し、図８Ａは平面図、図８Ｂは図８Ａの８Ｂ−８Ｂ線に沿った断面図、図８Ｃは図８Ｂの８Ｃ−８Ｃ線に沿った断面図である。
【００４９】
上ろくろ本体１８を軸柄２の内管２ａに取り付ける場合には、上ろくろ本体１８の固定部２６を内管２ａの上端に挿入した後、固定ピン１００を中心孔１０８に挿入することにより、固定部２６の分岐片２６ａ，２６ａの下端が互いに接近する方向の動きが阻止され、したがって、各小突起１０６は内管２ａの各小孔１０２から脱出することができず、これにより、ろくろ本体１８が内管２ａの上端部に固定される。そして、傘の分解時には、固定ピン１００を中心孔１０８から上方へ抜き去ることにより、上ろくろ本体１８を容易に内管２ａから抜き去ることが可能になる。なお、固定ピン１００が上ろくろ本体１８に装着された状態においては、図２に示されているような陣笠５が、張り布を介して螺部２４に螺装されて固定ピン１００の頭部１００ａを覆うために、固定ピン１００が上ろくろ本体１８から抜け出す恐れはないものである。
【００５０】
図９は、固定ピン１００の別の実施の形態を示す。この固定ピン１００は、頭部１００ａの直下に、軸部１００ｂよりも僅かに大径のフランジ部１００ｃを備えており、そのため、この固定ピン１００の軸部１００ｂを上ろくろ本体１８の中心孔１０８に挿入した場合、フランジ部１００ｃの存在により、頭部１００ａの下面と、上ろくろ本体１８の螺部２４との間に隙間が生じている。したがって、図１０Ａおよび図１０Ｂに示されているような、フランジ部１００ｃの外径よりも若干幅広のスリット１１０ａを備えたピン抜きフォーク１１０を用意しておけば、図１１Ａおよび図１１Ｂに示す手順で、容易に固定ピン１００を上ろくろ本体１８から抜き去ることができる。
【００５１】
図１２および図１３は、固定ピン１００のさらに別の実施の形態を示す。この固定ピン１００は、周縁部に一対の鉤状片１００ｅ，１００ｅを垂設した頭部１００ｄを備えており、これに対応して、上ろくろ本体１８の螺部２４の周面には、上記鉤状片１００ｅ，１００ｅと係合して固定ピン１００の抜け出しを阻止する態様で、鉤状片１００ｅ，１００ｅを収容する一対の溝１１４，１１４が形成されている。そして、図１４に示されているように、上記鉤状片１００ｅ，１００ｅが上記溝１１４，１１４内に収容された状態においては、螺部２４に対するナット部材１９および陣笠５の螺装が妨げられないように構成されている。
【００５２】
一方、傘の分解に際しては、鉤状片１００ｅ，１００ｅの根元部を折り切ることによって、直ちにこの固定ピン１００を上ろくろ本体１８から抜き去ることができる。
【００５３】
次に、軸柄２に摺動自在に嵌装されている本考案による下ろくろ６は、図１５Ａ〜図１５Ｅに示されている下ろくろ本体３４と、この下ろくろ本体３４の下側に分離可能に結合される、図１６Ａ〜図１６Ｃに示されているような筒状体３６とからなる。図１５Ａは下ろくろ本体３４の平面図、図１５Ｂは正面図、図１５Ｃは側面図、図１５Ｄは底面図、図１５Ｅは図１５Ａの１５Ｅ−１５Ｅ線に沿った断面図である。
【００５４】
軸柄２が貫通する軸孔３７を備えた下ろくろ本体３４は、支え骨８の根元部を収容するための上下に貫通する６個の支え骨収容溝３８を軸孔３７の周囲に約６０°の角間隔を保ってほぼ等間隔に放射状に形成した比較的厚い環状のディスク部４０と、このディスク部４０の上面に同軸的に一体に立設された比較的長い突当て用円筒部４１と、ディスク部４０の下面から同軸的に一体に垂設された比較的短い連結用円筒部４２とから構成されている。ディスク部４０の下面には、図４に底面図で示す受け骨４の根元部４ａに突設された突軸３０，３０と同様に支え骨８の根元部に突設された突軸（不図示）を枢支するために、上述の受け骨枢支溝３２と同様の構成を有する支え骨枢支溝４４が、図１５Ｄに示されているように各支え骨収容溝３８と十字状に直交するように支え骨収容溝３８の両側に形成されている。すなわち、このディスク部４０は、上述した上ろくろ本体１８のディスク部２０と上下を反対にした関係にある。
【００５５】
図１６Ａ〜図１６Ｃは、下ろくろ本体３４の下側に結合される筒状体３６を示し、図１６Ａは平面図、図１６Ｂは正面図、図１６Ｃは図１６Ｂの１６Ｃ−１６Ｃ線に沿った断面図である。また、図１７は下ろくろの正面図である。
【００５６】
この筒状体３６は、下ろくろ本体３４に対してバヨネット式（差込みソケット式）に結合されて下ろくろ本体３４と一体化されるように構成されており、そのため、下ろくろ本体３４の連結用円筒部４２の外周面の下端には、図１５Ｃの側面図および図１５Ｄの底面図から特に明らかなように、下ろくろ本体３４の軸線に対して対称的な位置において放射方向に突出する一対の係合突起４６，４６が、隣接する二つの支え骨収容溝３８の中間に位置するように、すなわち支え骨収容溝３８に対して角度３０°だけ位相がずれた関係で突設されている。そして、これら係合突起４６，４６の上面は、図１５Ｂから明らかなように、浅い凹面４６ａを形成している。
【００５７】
上記筒状体３６は、下ろくろ本体３４の軸孔３７と同径の軸孔４７を有し、かつ傘１の開閉操作時の掴み部となる細長い円筒部５１を備え、筒状体３６の上端には、下ろくろ本体３４のディスク部４０とほぼ同径のフランジ５０を備え、このフランジ５０の上面中央には、下ろくろ本体３４の連結用円筒部４２全体を嵌着させる円筒状凹部５２が同軸的に開口している。そして、上記円筒部５１の周壁には、軸柄２の内管２ａに出没自在に取り付けられた「はじき」と呼ばれる留め金１１を出没させる細長い開口部（不図示）が形成されている。
【００５８】
上記筒状体３６の円筒状凹部５２の周縁の２箇所には、下ろくろ本体３４に筒状体３６を組み付ける際に、下ろくろ本体３４の係合突起４６，４６の上方からの挿入を許容する通路となる縦溝５４，５４が、フランジ５０の上面から凹部５２の底面５２ａまで刻設され、さらに各縦溝５４の下端からは、筒状体３６が下ろくろ本体３４に対して図１６Ａの時計方向（図１６Ｃの反時計方向）に約３０°だけ回動し得るように係合突起４６の通路となる水平方向の係合溝５５（図１６Ｃの垂直壁面５７で終端している）が、筒状体３６の周壁を貫通して外部に開口する態様で形成されている（図１６Ｂ参照）。すなわち、互いに連通する縦溝５４と水平方向の係合溝５５とが鉤型の、すなわち軸孔４７の内側から見てＬ字型の溝を形成しており、各係合突起４６が各水平方向の係合溝５５の終端の垂直壁面５７に当接しかつ係合突起４６を水平方向の係合溝５５から外部に露出させた状態で、筒状体３６側の一対のＬ字型の係合溝と、下ろくろ本体３４側の係合突起４６，４６とによる、下ろくろ本体３４と筒状体３６との間のバヨネット式の係合が達成されて、図１７に示されているような下ろくろ６が構成されることになる。
【００５９】
さらに、図１６Ｂおよび図１６Ｃから明らかなように、筒状体３６のフランジ５０の下面の２箇所には、上述のようにバヨネット式の係合が達成された時点で、各係合突起４の上面（凹面４６ａ）にそれぞれ係合する放射方向に延びる突条５９が形成されて、筒状体３６と下ろくろ本体３４とが所定の相対的位置関係をもって係止されるように構成されている。
【００６０】
また、筒状体３６のフランジ５０の上面には、支え骨８の根元部の介入を許容する６個の比較的浅い支え骨介入溝７０が、軸孔４７の周囲に約６０°の角間隔を保ってほぼ等間隔に放射状に形成されている。
【００６１】
上述のように、本考案による下ろくろ６においては、下ろくろ本体３４の係合突起４６の凹面４６ａに係合する突条５９が筒状体３６のフランジ５０の下面に形成されていることにより、傘１の使用時における筒状体３６と下ろくろ本体３４との相対回動が防止されるが、本考案による下ろくろ６においては、さらにこの相対回動を確実に阻止する係止手段が設けられている。すなわち、図１５Ａ〜図１５Ｅに示す下ろくろ本体３４のディスク部４０の下面には、その一端がディスク部４０に連結されかつ下方へ弾性的に付勢されてディスク部４０の下面の外縁部から垂下突出しているストッパ部材６０が、ディスク部４０の外周面に露出している態様で設けられている。さらにディスク部４０の下面には、ストッパ部材６０が上方へ押圧された場合に、ストッパ部材６０をディスク部４０の下面から没入させることができる凹部６１が形成されている。
【００６２】
したがって、上記ストッパ部材６０は、筒状体３６のフランジ５０の上面が下ろくろ本体３４のディスク部４０の下面に添着されることにより凹部６１内に没入され、下ろくろ本体３４と筒状体３６との結合位置へ向かう相対回動が許容される。
【００６３】
一方、筒状体３６のフランジ５０の上面の外縁部には、図１６Ａおよび図１６Ｂに示すように、バヨネット式の結合が達成された時点で下ろくろ本体３４側の上記ストッパ部材６０を係入させるための凹部６２がストッパ部材６０に対応して形成されており、下ろくろ本体３４と筒状体３６との結合位置に向かう相対回動により両者が結合位置に達すると、下ろくろ本体３４側のストッパ部材６０と筒状体３６側の凹部６２との位置が合致することにより、図１７に示すようにストッパ部材６０が弾性的に凹部６２内に係入し、これにより、下ろくろ本体３４と筒状体３６との間におけるバヨネット式に結合された位置から結合解除位置へ向かう相対回動を確実に阻止する係止手段が形成される。
【００６４】
このような構成を有する下ろくろ６に支え骨１２の根元部を取り付ける際には、下ろくろ本体３４および筒状体３６を予め軸柄２に順次嵌装しておき、かつ軸柄２の上下を反対にした状態で、支え骨８の根元部の突軸が下ろくろ本体３４の支え骨枢支溝４４に収容される態様で支え骨８の根元部を下ろくろ本体３４に取り付けた後に、筒状体３６の縦溝５４，５４を下ろくろ本体３４の係合突起４６，４６に合わせて、筒状体３６を下ろくろ本体３４に嵌合させた時点で、下ろくろ本体３４の下面に筒状体３６のフランジ５０の上面が添着され、次いで、下ろくろ本体３４に対して筒状体３６を図１６Ａの時計方向（図１６Ｃの反時計方向）に回動させてバヨネット式の結合が達成されると、下ろくろ本体３４のストッパ部材６０が筒状体３６側の凹部６２内に弾性的に係入して、下ろくろ本体３４と筒状体３６との間におけるバヨネット式に結合された位置から結合解除位置へ向かう相対回動を確実に阻止し得る係止手段が形成される。したがって、支え骨８の根元部が使用中に下ろくろ６から外れるというような恐れは全くなくなる。またこの状態で、図１７に示すように、下ろくろ本体３４側の支え骨収容溝３８が筒状体３６側の支え骨介入溝７０に一致することになる。
【００６５】
なお、上記ストッパ部材６０の外表面には、例えば先端が針状に形成された工具の係入を許容する小穴（不図示）が形成されているのが好ましく、その場合、この小穴に先端部を挿入した上記工具によって、上記ストッパ部材６０が強制的に筒状体３６の凹部６２内から脱出せしめられて凹部６１内に没入することができる。
【００６６】
一方、傘１の分解時等において、支え骨８の根元部を下ろくろ６から取り外す際には、下ろくろ本体３４のディスク部４０の外周面に露出しているストッパ部材６０を、例えば上述のような工具を用いて強制的に凹部６１内に没入させることにより、下ろくろ本体３４と筒状体３６との間における結合位置から結合解除位置へ向かう相対回動が可能になり、したがって、これに続く軸線方向の引離しにより、下ろくろ本体３４と筒状体３６とを分離させることができ、支え骨８の根元部を下ろくろ６から容易に取り外すことができる。
【００６７】
なお、上述のような下ろくろ本体３４と筒状体３６との間の相対回動を阻止する係止手段は、本実施の形態に限らず、下ろくろ本体３４と筒状体３６とに、結合位置において位置が一致する対向溝を形成し、この対向溝の形状に合致した、かつ取外し可能な別個の係止部材を対向溝に装着することによって構成することができることは言うまでもない。
【００６８】
次に、図１８〜図２０に示されている本考案による傘骨相互の連結構造について説明する。
【００６９】
前述のように、金属製の受け骨４の先端部は、樹脂製の親骨１２の根元部に樹脂で一体に形成された連結用部材１３に枢着された態様で親骨１２に連結されており、図１８はその連結部の構造の一例を示す分解斜視図、図１９は連結状態を示す斜視図、図２０は連結部の拡大断面図である。図１８において、薄い板状に形成された受け骨４の先端部４ｂが連結される親骨１２の連結用部材１３は、一側に開口するＵ字状またはコ字状の断面形状を有し、かつこのＵ字またはコ字の両開口縁から親骨１の延長方向とほぼ直交する方向に延出された、所定の間隔を隔てて対向する一対の脚片８１，８１を備えている。そして、脚片８１，８１および受け骨４の先端部４ａには、枢軸としてのピン８２が挿通される軸孔８３，８４がそれぞれ形成されている。これらの軸孔８３，８４は、これらに挿通されたピン８２を抜き取るのが容易なように、ピン８２の外径よりも若干大きい内径を有する。
【００７０】
さらに本実施の形態においては、図１８および図２０から明らかなように、連結用部材１３の上下の外表面が脚片８１と連続して所定の深さに切除されて、脚片８１の幅にほぼ等しい幅を有する溝８５，８５が連結用部材１３を横断して形成され、脚片８１，８１の厚さが連結用部材１３の他の部分よりも溝８５の分だけ薄くなっている。
【００７１】
符号８６で示されているのは、上記溝８５，８５よりも僅かに狭い幅を有して連結部の背後から挿入されるＵ字状の板状バネ部材であり、先端側が上下から互いに接近するように付勢されているとともに、この先端部がほぼ直角に上下方向内方へ屈曲されて、脚片８１，８１の前縁に係合される係合部８６ａ，８６ａを形成している。
【００７２】
以上の構成において、連結用部材１３の脚片８１，８１の間に受け骨４の先端部４ｂを挿入し、軸孔８３，８４の位置を整合させてピン８２を挿入した後、バネ部材８６の係合部８６ａ，８６ａ側をバネ付勢力に抗して開きながら係合部８６ａ，８６ａ側を先にして連結部の背後から挿入すると、図２０に示すように、バネ部材８６が溝８５，８５の底面にほぼ密着する態様で脚片８１，８１を上下から覆い、かつ係合部８６ａ，８６ａが脚片８１，８１の前縁にそれぞれ係合した態様で連結部に弾着される。
【００７３】
このような連結構造によれば、先端側が互いに接近する方向に付勢されたバネ部材８６が連結部に装着されてピン８２の両端に上下方向から弾性的に密着ないし接近しているので、ピン８２が連結部から抜け落ちるおそれはなく、かつバネ部材８６の先端の係合部８６ａ，８６ａが脚片８１，８１の前縁と係合しているので、バネ部材８６が連結部から脱落するおそれもない。そして、傘１の分解時には、バネ部材８６の係合部８６ａ，８６ａ側をバネ付勢力に抗して開いてバネ部材８６を取り外すことにより、ピン８２が連結部から脱落するから、分解が極めて容易である。
【００７４】
なお、本実施の形態においては、親骨１の筒状体１３に脚片８１，８１が形成されているが、図８に対応する連結部の構造を示す分解斜視図である図２１に示すように、脚片８１，８１に代えて連結部が幅広に形成された親骨または連結用部材１３′が用いられて、脚片に相当する部分８１′，８１′が幅広部に連続的に形成されている構成とすることもできる。
【００７５】
次に親骨１２と先骨１５との連結部の構造の一例について説明する。前述のように、金属製の先骨１５の根元部は、樹脂製の親骨１２の先端部に樹脂で一体に形成された連結用部材１４に枢着された態様で親骨１２に連結されており、図２２はその連結部の構造の一例を示す分解斜視図、図２３は連結状態を示す斜視図である。
【００７６】
この連結構造が、上述した受け骨４と親骨１２との連結構造と相違する点は、（１）連結用部材１４が溝８５，８５のような溝を備えておらず、（２）連結用部材１４の脚片９１，９１の軸孔９３，９３および先骨１５の根元部１５ａの軸孔９４に挿通される枢軸としてのピン９２が上端にフランジ９２ａを備えており、（３）先骨１５の根元部１５ａはディスク状に形成され、（４）バネ部材９６が、上側の脚片９１の両側縁に弾性的に係合する係合部９６ａ，９６ａを備えて、上側の脚片９１の先端側から上側の脚片９１のみに装着される形状を有することであり、これらの相違点を除いては上述した受け骨４と親骨１２との連結部と同様の構成を有するので、重複する説明は省略する。
【００７７】
この連結部においては、頭にフランジ９２ａを備えたピン９２を用い、かつこのフランジ９２ａに対して、バネ部材９６が上方から弾性的に密着ないし接近しているので、ピン９２が連結部から抜け落ちるおそれはなく、かつバネ部材９６の両端の係合部９６ａ，９６ａが上側の脚片９１に弾着されているので、バネ部材９６が連結部から脱落するおそれもない。そして、分解時には、バネ部材９６を取り外すことにより、ピン９２を上方へ抜くことができるから、分解が極めて容易である。なお、フランジ９２ａを備えたピン９２は、通常の鳩目ピンをそのまま（かしめ付けずに）利用することも可能である。
【００７８】
なお、図２２および図２３に示す傘骨の連結構造は、親骨１２と引き線１７との連結部にも適用可能である。
【００７９】
次の図２４〜図２６は、傘骨間の連結構造の他の実施の形態を示し、図２４は斜視図、図２５はスプリングピンの斜視図、図２６はスプリングピンの組付け方法を示す斜視図である。本実施の形態においても、細い棒状の傘骨、例えば親骨１２の中途部分に連結用部材１３が固着されており、この連結用部材１３は、親骨１２の延長方向に対して直交する方向に互いに対向するように突出する一対の脚片８１，８１を備えている。脚片８１，８１には軸孔８３が形成されている。
【００８０】
図２５に示すスプリングピン８８は、受け骨４の先端部４ｂを脚片８１，８１間に枢動可能に軸支するための枢軸としての直線状の軸部８８ａと、この軸部８８ａからほぼ直角に折り曲げられてほぼ直線状に延びる中間部８８ｂと、この中間部８８ｂの軸部８８ａ側とは反対側の端部から軸部８８ａに対してほぼ直交する方向にほぼ直角に折り曲げられ、さらにほぼＵ字状に折り曲げられた嵌着部８８ｃとから構成されている。この嵌着部８８ｃの形状は、この嵌着部８８ｃが嵌着される側の部材、この場合は連結用部材１３の形状に応じて変更される。
【００８１】
このような構成を有するスプリングピン８８を用いて受け骨４の先端部４ｂを親骨１２に取り付ける場合には、先ず受け骨４の先端部４ｂを連結用部材１３の脚片８１，８１間に挿入して、上記先端部４ｂが備えている軸孔（図示は省略）を脚片８１，８１の軸孔８３，８３に一致させてから、軸部８８ａを軸孔８３に挿入し、次いで図２６に示すように嵌着部８８ｃを図の上方から押圧することにより、スプリングピン８８の軸部８８ａを中心にして時計方向に回動させて、嵌着部８８ｃを連結用部材１３に弾性的に嵌着することにより、スプリングピン８８が図２４に示す状態で連結用部材１３に固定される。
【００８２】
一方、受け骨４の先端部４ｂを親骨１２から取り外す場合には、嵌着部８８ｃを図２６の矢印と反対方向に回動させてから軸部８８ａを抜き取るだけでよい。
【００８３】
本実施の形態によれば、直線状の軸部８８ａを一端に備え、かつほぼＵ字状に湾曲された嵌着部８８ｃを他端に備えた１本のスプリングピン８８のみによって傘骨同士を連結することができるので、連結部の構成が極めて簡単であり、かつこのスプリングピン８８の取付け、取外しも極めて容易であるから、傘骨同士の連結部の分解が極めて容易になる利点がある。特に折畳み傘においては、傘骨同士の連結部が多数存在するので、その効果は多大である。
【００８４】
なお、図２６に対応する図２７に示すように、連結用部材１３にはスプリングピン８８を収容する溝９０を形成しておくことが好ましい。その場合には、図２４に対応する図２８に示すように、連結用部材１３の表面上にスプリングピン８８が突出せず、したがって、スプリングピン８８をより安定に連結用部材１３に取り付けることができる。
【符号の説明】
【００８５】
１  傘
２  軸柄
２ａ  軸柄の内管
２ｂ  軸柄の中間管
２ｃ  軸柄の外管
３  上ろくろ
４  受け骨
６  下ろくろ
８  支え骨
１２  親骨
１３，１３′，１４  傘骨連結用部材
１５  先骨
１８  上ろくろ本体
２０  上ろくろ本体のディスク部
２２  上ろくろ本体の受け骨収容溝
２４  上ろくろ本体の螺部
２６  上ろくろ本体の固定部
３０  突軸
３２  受け骨枢支溝
３４  下ろくろ本体
３６  筒状体
３８  支え骨収容溝
４４  支え骨枢支溝
６０  ストッパ部材
１００  固定ピン
【図１】
0003156707.tif 000003
【図２】
0003156707.tif 000004
【図３Ａ】
0003156707.tif 000005
【図３Ｂ】
0003156707.tif 000006
【図３Ｃ】
0003156707.tif 000007
【図４】
0003156707.tif 000008
【図５】
0003156707.tif 000009
【図６Ａ】
0003156707.tif 000010
【図６Ｂ】
0003156707.tif 000011
【図７Ａ】
0003156707.tif 000012
【図７Ｂ】
0003156707.tif 000013
【図８Ａ】
0003156707.tif 000014
【図８Ｂ】
0003156707.tif 000015
【図８Ｃ】
0003156707.tif 000016
【図９】
0003156707.tif 000017
【図１０Ａ】
0003156707.tif 000018
【図１０Ｂ】
0003156707.tif 000019
【図１１Ａ】
0003156707.tif 000020
【図１１Ｂ】
0003156707.tif 000021
【図１２】
0003156707.tif 000022
【図１３】
0003156707.tif 000023
【図１４】
0003156707.tif 000024
【図１５Ａ】
0003156707.tif 000025
【図１５Ｂ】
0003156707.tif 000026
【図１５Ｃ】
0003156707.tif 000027
【図１５Ｄ】
0003156707.tif 000028
【図１５Ｅ】
0003156707.tif 000029
【図１６Ａ】
0003156707.tif 000030
【図１６Ｂ】
0003156707.tif 000031
【図１６Ｃ】
0003156707.tif 000032
【図１７】
0003156707.tif 000033
【図１８】
0003156707.tif 000034
【図１９】
0003156707.tif 000035
【図２０】
0003156707.tif 000036
【図２１】
0003156707.tif 000037
【図２２】
0003156707.tif 000038
【図２３】
0003156707.tif 000039
【図２４】
0003156707.tif 000040
【図２５】
0003156707.tif 000041
【図２６】
0003156707.tif 000042
【図２７】
0003156707.tif 000043
【図２８】
0003156707.tif 000044